(57)【要約】【課題】簡易な構成により、日没時であってもＬＥＤの光を蓄光材に直接照射して効率的に蓄光できて、昼夜に係わらず蓄光板の蓄光効果を安定かつ十分に高めて良好な視認状態が得られる蓄光表示装置を提供する。【解決手段】表面側に所定の意匠が配設された板状の基材、基材の裏面側に意匠の形状に対応して配設された蓄光材、及び蓄光材を覆うように基材の裏面側に配設された被覆材を有して筐体の正面に配設された蓄光板と、筐体の背面に配設されて紫外線を蓄光材に直接照射可能なＬＥＤ発光体と、ＬＥＤ発光体を昼間から夜間移行時に予め設定した所定時間点灯可能な制御手段と、を備えることを特徴とする。前記制御手段が、タイマーで設定時間内で光センサーが作動した場合にＬＥＤ発光体を発光させると共に、タイマーの設定時間が経過した場合にＬＥＤ発光体を消灯させる。【選択図】図１
2017187529.tif 000002
【特許請求の範囲】
【請求項１】
表面側に所定の意匠が配設された板状の基材、該基材の裏面側に前記意匠の形状に対応して配設された蓄光材、及び前記蓄光材を覆うように前記基材の裏面側に配設された被覆材を有して、筐体の正面に配設された蓄光板と、前記筐体の背面に配設されて紫外線を前記蓄光材に直接照射可能なＬＥＤ発光体と、該ＬＥＤ発光体を昼間から夜間移行時に予め設定した所定時間点灯可能な制御手段と、を備えることを特徴とする蓄光表示装置。
【請求項２】
前記制御手段は、タイマーの設定時間内で光センサーが作動した場合に前記ＬＥＤ発光体を発光させると共に、前記タイマーの設定時間が経過した場合に前記ＬＥＤ発光体を消灯させることを特徴とする請求項１に記載の蓄光表示装置。
【請求項３】
前記蓄光材は、前記基材表面の意匠に対応して該基材の裏面に所定深さで断面山形形状に形成された凹部内に充填固化されていることを特徴とする請求項１または２に記載の蓄光表示装置。
【請求項４】
前記ＬＥＤ発光体は、紫外線を照射可能な複数のＬＥＤを有する複数のＬＥＤモジュールで形成されるか、もしくは紫外線を広角に照射可能な複数の広角ＬＥＤで形成され、これらが前記筐体の背面板を兼ねるＬＥＤ取付板内面に前記意匠に対応して配設されていることを特徴とする請求項１ないし３のいずれかに記載の蓄光表示装置。
【請求項５】
前記制御手段は、商用交流電源の電力を使用して前記ＬＥＤ発光体を発光させるか、もしくはソーラーパネルの電力を使用して前記ＬＥＤ発光体を発光させることを特徴とする請求項１ないし４のいずれかに記載の蓄光表示装置。
【請求項６】
前記タイマーと光センサーが制御ボックス内に配設されて、前記蓄光板及びＬＥＤ発光体を有する表示盤とケーブルを介して接続されていることを特徴とする請求項２ないし５のいずれかに記載の蓄光表示装置。
【発明の詳細な説明】
【技術分野】
【０００１】
本発明は、避難誘導標識（避難誘導表示板）や案内標識（案内表示板）、あるいは店舗の看板等として主に使用される蓄光表示装置に関する。
【背景技術】
【０００２】
従来、蓄光材を使用した照明装置として、例えば特許文献１が開示されている。この照明装置は、直方体形状の筐体と、この筐体の内部側面に配設され所定の電力に基づいて点発光する発光体としてのＬＥＤと、筐体の正面に配設された蓄光板と、筐体の背面側に配設されてＬＥＤから発せられた光を蓄光板に照射させる反射板と、筐体の内部においてＬＥＤと蓄光板の側面との間に配設されてＬＥＤから発せられた光を遮光する遮光板を備えている。そして、ＬＥＤから発せられた光を反射板で反射させて蓄光板に照射することにより、蓄光材を蓄光させるようにしている。
【先行技術文献】
【特許文献】
【０００３】
【特許文献１】特開２０１５−４６２９１号公報
【発明の概要】
【発明が解決しようとする課題】
【０００４】
しかしながら、このような照明装置にあっては、筐体の左内側面に配設されたＬＥＤの光を右側面方向である蓄光板と略並行方向に照射させ、照射方向に向けて幅狭となるように傾斜した反射板で反射させて、その反射光を蓄光板に照射するため、例えば筐体の左側面側に位置する蓄光材と筐体の右側面側に位置する蓄光材に照射される反射光の光量が異なる場合があり、筐体の左右方向における蓄光材の蓄光にバラツキが発生し易い。
【０００５】
特に、本願出願人による、蓄光材の使用量を低減させつつ長時間に亘り十分な蓄光輝度が得る蓄光板（特開２０１５−１１１２３９号公報）に適用した場合、蓄光材が基材の断面山形形状の凹部内に充填されて、蓄光材の厚さが均一でないことから、上記の照明装置の構成では、蓄光材を均一に発光させることが困難で、昼間から夜間移行時等に蓄光材に十分な蓄光（発光）効果を確保することが難しい。これは蓄光板の面積が大きい場合において顕著となり易い。また、前記照明装置の場合、蓄光材にＬＥＤの光を照射するために、反射板や遮光板等が必要となり、照明装置自体の構成が複雑化しコスト高となって好ましくない。
【０００６】
本発明は、このような事情に鑑みてなされたもので、その目的は、簡易な構成により、日没時であってもＬＥＤの光を蓄光材に直接照射して効率的に蓄光でき、昼夜に係わらず蓄光板の蓄光効果を安定かつ十分に高めて良好な視認状態が得られる蓄光表示装置を提供することにある。また、他の目的は、前記目的に加え、蓄光材が基板の凹部内に充填される蓄光板であっても、蓄光材の全域を均等に発光させ得る蓄光表示装置を提供することにある。
【課題を解決するための手段】
【０００７】
かかる目的を達成すべく、本発明のうち請求項１に記載の発明は、表面側に所定の意匠が配設された板状の基材、該基材の裏面側に前記意匠の形状に対応して配設された蓄光材、及び前記蓄光材を覆うように前記基材の裏面側に配設された被覆材を有して、筐体の正面に配設された蓄光板と、前記筐体の背面に配設されて紫外線を前記蓄光材に直接照射可能なＬＥＤ発光体と、該ＬＥＤ発光体を昼間から夜間移行時に予め設定した所定時間点灯可能な制御手段と、を備えることを特徴とする。
【０００８】
また、請求項２に記載の発明は、前記制御手段が、タイマーの設定時間内で光センサーが作動した場合に前記ＬＥＤ発光体を発光させると共に、前記タイマーの設定時間が経過した場合に前記ＬＥＤ発光体を消灯させることを特徴とする。また、請求項３に記載の発明は、前記蓄光材が、前記基材表面の意匠に対応して該基材の裏面に所定深さで断面山形形状に形成された凹部内に充填固化されていることを特徴とする。さらに、請求項４に記載の発明は、前記ＬＥＤ発光体が、紫外線を照射可能な複数のＬＥＤを有する複数のＬＥＤモジュールで形成されるか、もしくは紫外線を広角に照射可能な複数の広角ＬＥＤで形成され、これらが前記筐体の背面板を兼ねるＬＥＤ取付板に前記意匠に対応して配設されていることを特徴とする。
【０００９】
また、請求項５に記載の発明は、前記制御手段が、商用交流電源の電力を使用して前記ＬＥＤ発光体を発光させるか、もしくはソーラーパネルの電力を使用して前記ＬＥＤ発光体を発光させることを特徴とする。また、請求項６に記載の発明は、前記タイマーと光センサーが制御ボックス内に配設されて、前記蓄光板及びＬＥＤ発光体を有する表示盤とケーブルを介して接続されていることを特徴とする。
【発明の効果】
【００１０】
本発明のうち請求項１に記載の発明によれば、板状の基材の裏面側に表面側の意匠の形状に対応して蓄光材を配設し、この蓄光材を被覆材で覆って筐体の正面に配設した蓄光板と、筐体の背面に配設されて紫外線を蓄光材に直接照射可能なＬＥＤ発光体と、タイマーで設定した時間内で光センサーが作動した場合にＬＥＤ発光体を点灯可能な制御手段とを備えるため、蓄光材とＬＥＤ発光体を筐体内の前後で対向配置するという簡易な構成により、太陽光の照射が十分に得られない昼間から夜間移行時（夕方）等であってもＬＥＤ発光体の光を基材の蓄光材に直接照射して、日没時に蓄光材に照射される紫外線の減少を補うことができ、夜間や暗い室内等における蓄光板の蓄光効果を安定かつ十分に高めることができる。
【００１１】
また、請求項２に記載の発明によれば、請求項１に記載の発明の効果に加え、制御手段が、タイマーの設定時間内で光センサーが作動した場合にＬＥＤ発光体を発光させると共に、タイマーの設定時間が経過した場合にＬＥＤ発光体を消灯させるため、夕方に例えば２〜３時間ＬＥＤ発光体を点灯でき、昼間から夜間移行時の蓄光板の視認効果の低下を抑制できて、より安定した蓄光効果が得られると共に、装置の省電力化を図ることができる。
【００１２】
また、請求項３に記載の発明によれば、請求項１または２に記載の発明の効果に加え、蓄光材が基材表面の意匠に対応して基材の裏面に断面山形形状に形成された凹部内に充填固化されているため、蓄光材を意匠部分に対応した凹部内のみに充填すれば良く、その使用量を低減させることができると共に、蓄光材から放射されるリン光を、隣接する凹部の山形部分等で乱反射させつつ基材の表面側に放射できる等、蓄光効果を一層高めて意匠部分を表面側から良好に視認させることができる。
【００１３】
また、請求項４に記載の発明によれば、請求項１ないし３に記載の発明の効果に加え、ＬＥＤ発光体が、複数のＬＥＤを有する複数のＬＥＤモジュールか、もしくは複数の広角ＬＥＤで形成され、これらが筐体の背面板を兼ねるＬＥＤ取付板に意匠に対応して配設されているため、ＬＥＤモジュールや広角ＬＥＤの個数を効果的に低減させて、装置の一層の簡略化等を図りつつ、各意匠の蓄光効果をより一層高めることができる。
【００１４】
さらに、請求項５に記載の発明によれば、請求項１ないし４に記載の発明の効果に加え、制御手段が、商用交流電源の電力を使用してＬＥＤ発光体を発光させるか、もしくは筐体に配設したソーラーパネルの電力を使用してＬＥＤ発光体を発光させるため、商用電源を使用することで、ＬＥＤ発光体を安定かつ確実に点灯させることができ、また、ソーラーパネルの電力を使用することで、装置の一層の省エネ化を図ることができる。
【００１５】
また、請求項６に記載の発明によれば、請求項２ないし５に記載の発明の効果に加え、タイマーと光センサーが制御ボックス内に配設されて、蓄光板及びＬＥＤ発光体を有する表示盤とケーブルを介して接続されているため、別体の表示盤と制御ボックスを屋外等の所定位置に取り付けできて、設置の汎用性を向上させることができると共に、装置の保守点検等を簡単に行うことができる。
【図面の簡単な説明】
【００１６】
【図１】本発明に係わる蓄光表示装置の一実施形態を示す斜視図
【図２】同表示盤の正面図
【図３】同表示盤の内部を示す説明図
【図４】同図２のＡ−Ａ線に沿った断面図
【図５】同図２のＢ−Ｂ線に沿った断面図
【図６】同枠連結部材を示す（ａ）が正面図、（ｂ）がその側面図、（ｃ）が底面図
【図７】同蓄光板の裏面を示す（ａ）が要部裏面図、（ｂ）がその縦断面図
【図８】同蓄光表示装置のブロック図
【図９】同その動作を示すタイミングチャート
【図１０】本発明に係わる蓄光表示装置の他の実施形態を示す構成図
【発明を実施するための形態】
【００１７】
以下、本発明を実施するための形態を図面に基づいて詳細に説明する。
図１に示すように、蓄光表示装置１は、表示盤２と制御ボックス３を有している。前記表示盤２は、薄型の直方体形状の筐体５を有し、この筐体５の正面には、津波避難施設の方向と距離等を示す意匠１５が付与された蓄光板６が配設され、筐体５の背面には後述するＬＥＤ取付板７（図３参照）が配設されている。
【００１８】
また、前記制御ボックス３は、プラスチック等で形成された防水構造とされて、その内部に、例えばスタート釦等が制御ボックス３の正面に露出状態とされたタイマー８が配設されると共に、制御ボックス３の側面には光センサー９がそのセンサー部を露出した状態で配設されている。この制御ボックス３のタイマー８と光センサー９により、本発明の制御手段が形成されている。なお、前記タイマー８は、２４時間タイマーでオン時間（時刻）とオフ時間（時刻）が設定可能となっており、また、光センサー９は、周囲の光を検出して所定の明るさ（昼間）の時にオフで、それ以外（夜間）はオンとなるようになっている。
【００１９】
前記表示盤２は、図２〜図５に示すように、その筐体５が上枠５ａと下枠５ｂ及び左右の側枠５ｃを有すると共に、この各枠５ａ〜５ｃの４隅が枠連結部材５ｄでそれぞれ連結されている。このとき、各枠５ａ〜５ｃは、図４及び図５に示すように、アルミニウム材により、断面扁平な中空部１０を有した略筒形状に形成されると共に、内側（対向側）の前後端部には、内側方向に突出した溝１１ａ、１１ｂが長手方向に沿って一体形成されている。なお、下枠５ｂの所定位置には、表示盤２内に雨水等が進入した場合に下方に排水するための排水孔１２（図５参照）が穿設されている。
【００２０】
そして、前後一対の溝１１ａ、１１ｂのうち、正面側の溝１１ａに前記蓄光板６の外周端部が着脱可能に挿入係止され、背面側の溝１１ｂに筐体５の背面板を兼ねる前記ＬＥＤ取付板７の外周端部が着脱可能に挿入係止されている。また、各枠５ａ〜５ｃの連結部となる４隅の中空部１０に、前記枠連結部材５ｄが嵌合されている。この枠連結部材５ｄは、図６に示すように、アルミニウム材により、正面視略正方形状のコーナ部５ｄ１と、このコーナ部５ｄ１の隣接する側面に突出状態で一体形成された一対の嵌合部５ｄ２をそれぞれ有している。
【００２１】
また、枠連結部材５ｄの各嵌合部５ｄ２には、前記中空部１０の幅に対応した高さのリブ５ｄ３が２本一体形成されると共に、リブ５ｄ３間には固定孔１３が穿設されている。そして、連結する枠５ａ〜５ｃの中空部１０に嵌合部５ｄ２を嵌合させて、嵌合部５ｄ２の固定孔１３に対応して設けられた各枠５ａ〜５ｃの固定孔から木ネジを嵌合部５ｄ２の固定孔１３にねじ込むことにより、一対の枠５ａ〜５ｃが枠連結部材５ｄで分解可能に連結されている。
【００２２】
このとき、嵌合部５ｄ２のリブ５ｄ３が各枠５ａ〜５ｃの中空部１０に所定の強度で嵌合されることで、４本の枠５ａ〜５ｃと４個の枠連結部材５ｄで連結された前記筐体５が形成されることになる。なお、筐体５は、上枠５ａと左右の側枠５ｃの上部左右２個の枠連結部材５ｄが、摘み付きの固定ネジ１４（図１参照）で固定されており、この固定ネジ１４を取り外すことにより、左右に枠連結部材５ｄが固定された上枠５ａが左右の側枠５ｃ上部から取り外し（引き抜き）可能となっている。この状態において、蓄光板６やＬＥＤ取付板７が筐体５から取り外しできることになる。
【００２３】
前記蓄光板６は、図２、図４及び図７に示すように構成されている。すなわち、蓄光板６は、長方形状に形成された透明なアクリル板からなる所定厚さ（例えば５ｍｍ程度）の基材６ａを有している。そして、この基材６ａには、その表面（表示盤２の正面）側に、意匠が形成された意匠フィルム１５が配設されると共に、この意匠フィルム１５の意匠と対応する基材６ａの裏面には多数の凹部１６が連設状態で形成されている。
【００２４】
また、前記基材６ａに設けられた各凹部１６には、蓄光材１７がそれぞれ充填され、この蓄光材１７の裏面すなわち基材６ａの裏面側には、被覆材としてのフィルム１８が貼付（貼着）されている。なお、前記各凹部１６は、図７に示すように、例えば後述する意匠１５ｂ、１５ｄ等の文字幅に対応した一辺ｔの正方形で中央部が最深位置となるように形成され、平面視で正方形を形成する４本の稜線と、正方形の四隅から最深部に向けた４本の稜線とで、４つの斜面１６ａを有して、各凹部１６の最深部における縦断面が山形（三角）形状となっている。
【００２５】
前記意匠フィルム１５は、例えば屋外用インクジェットプリントフィルムで形成され、図１及び図２に示すように、津波と人物及び建物を示す意匠１５ａと、施設名（津波避難施設）を示す意匠１５ｂと施設の方向を示す矢印の意匠１５ｃ及び施設までの距離の意匠１５ｄとが印刷により形成されている。このとき、各意匠１５ａ〜１５ｄは、透明もしくは薄黄色の半透明な意匠部１９ａと、この意匠部１９ａの外周縁を取り囲むように形成された所定幅及び所定形状で意匠部１９ａと色の異なる例えば緑色の縁部１９ｂとで形成されている。この意匠フィルム１５の表面である基材６ａの表面には、意匠フィルム１５を保護する例えば屋外用塩ビ粘着フィルムからなるカバーフィルム２０（図４参照）が貼付されている。
【００２６】
そして、この意匠フィルム１５の各意匠１５ａ〜１５ｄに対応して、前記基材６ａの裏面の前記凹部１６には、前記蓄光材１７が充填固化されている。この蓄光材１７は、所定粒径の蓄光顔料と例えばエポキシ樹脂、ウレタン樹脂、ＥＶＡ樹脂等の樹脂とを湯煎しながら混合したもので、これが凹部１６内に充填され、例えば自然乾燥されることで凹部１６内に固化状態で配設されている。この蓄光材１７と基材６ａの裏面側には、例えば屋外用塩ビ粘着フィルムからなる前記フィルム１８が貼付されている。なお、前記意匠フィルム１５やカバーフィルム２０及びフィルム１８は、紫外線を透過するか、もしくは紫外線の一部を透過するようになっている。
【００２７】
前記ＬＥＤ取付板７は、前記蓄光板６の基材６ａと同一形状の樹脂板や金属板等で形成され、図３に示すように、内面となる裏面の所定位置に２組のＬＥＤモジュール２２が取り付けられている。この各ＬＥＤモジュール２２には、紫外線を所定の指向角で発光可能なＡＣ仕様のＬＥＤ２２ａが例えば３個併設状態で設けられて、ＬＥＤ取付板１２に接着剤等で固定されている。
【００２８】
そして、各ＬＥＤモジュール２２は、図８のブロック図に示すように、並列接続（もしくは直列接続）され、電源用のケーブル２１を介して、図３に示すＬＥＤ取付板７に設けられたコード引出孔２３から、筐体５の外部に引き出されている。ケーブル２１は、前記制御ボックス３に設けられたＡＣ仕様の光センサー９に接続され、この光センサー９がＡＣ仕様のタイマー８と直列接続されて、タイマー８の入力側には電源ケーブル２４が接続されている。
【００２９】
これにより、ＡＣ１００電源が制御ボックス３のタイマー８及び光センサー９を介して、ＬＥＤモジュール２２に供給されて、各ＬＥＤ２２ａが所定のタイミングで点灯（発光）するようになっている。このとき、各ＬＥＤ２２ａは、図９に示すように点灯する。すなわち、タイマー８が例えば１６時（１６：００）にオンし１９時（１９：００）にオフするように設定された状態で、光センサー９が１６時３０分（１６：３０）にオンすると、ＡＣ１００Ｖ電源がタイマー８、光センサー９を介して各ＬＥＤ２２ａに供給されて点灯し、タイマー８がオフとなる１９時で消灯する。
【００３０】
つまり、ＬＥＤ２２ａは１６時３０分から１９時まで点灯することになり、このＬＥＤ２２ａの点灯で、各ＬＥＤ２２ａから発光される紫外線が前方に位置する蓄光板６のフィルム１８を透過し、凹部１６内に充填されている蓄光材１７に照射されて蓄光され、凹部１６に対応した各意匠１５ａ〜１５ｄが表示盤２の正面側から視認されることになる。
【００３１】
次に、前記蓄光表示装置１の動作について説明する。先ず、蓄光表示装置１を屋外の所定場所に設置する。この設置は、表示盤２と制御ボックス３を津波避難施設から８０ｍ程度離れた所定場所に、ＬＥＤ取付板７に設けた取付孔２５（図３参照）を利用し、ボルトやＵ金具等を使用して設置板や設置用支柱に取り付ける。そして、電源ケーブル２４のＡＣコンセントを商用ＡＣ１００Ｖ電源に接続し、タイマー８を所定時間に設定する。このタイマー８の設定時間は、太陽光からの紫外線が少なくなる夕方の時間が設定され、タイマー８のオン時間は、例えば２〜５時間程度に設定される。
【００３２】
この蓄光表示装置１の設置状態で昼間時においては、太陽光が蓄光板６の正面側から照射され、その紫外線がカバーフィルム２０、意匠フィルム１５及び基材６ａを透過して基材６ａ裏面側の蓄光材１７に蓄光される。このときの蓄光板６の各意匠１５ａ〜１５ｄは、前記凹部１６に対応した意匠部１９ａの薄黄色や縁部１９ｂの緑色等の色が、意匠（凹部１６）以外の基材６ａ表面の例えば白色等と区別された状態で視認（第１の表示状態という）されることになる。そして、夕方の例えば１６時になるとタイマー８が作動してオンとなり、このオン状態で例えば１６時３０分に周囲が暗くなると光センサー９がオンする。
【００３３】
この光センサー９のオンにより、ＡＣ１００Ｖ電源が各ＬＥＤモジュール２２に供給される。これにより、各ＬＥＤ２２ａが点灯し、その紫外線が蓄光板６のフィルム１８を透過して蓄光材１７に直接照射される。このとき、２組のＬＥＤモジュール２２が、基材６ａの高さ方向の略中央で左右方向に均等な位置に配設されていることから、合計６個のＬＥＤ２２ａで各意匠１５ａ〜１５ｄの全域を略均等にカバーできて、各意匠１５ａ〜１５ｄに対応した蓄光材１７が略均等に蓄光されることになる。
【００３４】
また同時に、蓄光材１７が縦断面山形形状の正方形の凹部１６内に充填されているため、凹部１６に照射される紫外線が凹部１６の斜面１６ａ等で乱反射されて、紫外線が蓄光材１７に効率的に蓄光されることになる。このＬＥＤ２２ａの点灯による所定の蓄光で、昼間から夜間にかけて徐々に周囲が暗くなる場合に、蓄光材１７に蓄光された光（リン光）が基材６ａの表面側に向けて放射されて、基材６ａの各意匠１５ａ〜１５ｄが弱く光った状態となって、意匠１５と基材６ａが蓄光板６の正面側から視認（第２の表示状態という）されることになる。
【００３５】
一方、周囲が暗くなった夜間においては、ＬＥＤ２２ａの点灯や昼間時に太陽光により蓄光材１７に蓄光された光が、基材６ａの表面側に向けて放射されて、各意匠１５ａ〜１５ｄのみが暗闇上に浮かび上がった状態で視認（第３の表示状態という）されることになる。この第３の表示状態及び前記第２の表示状態において、蓄光材１７が、断面山形形状の凹部１６内に充填されていることから、蓄光された光が山形形状の４つの斜面１６ａから各種方向に屈折放射され、その一部が隣接する凹部１６の斜面１６ａ等で反射、すなわち乱反射状態で放射される。この光が蓄光板６の表面側から視認されて、夕方や真夜中等であっても各意匠１５ａ〜１５ｄが良好に視認されることになる。
【００３６】
つまり、前記蓄光表示装置１は、表示盤２の筐体５内に蓄光板６の蓄光材１７に紫外線を直接照射可能なＬＥＤ２２ａを配設して、周囲が完全に暗くならない夕方時にＬＥＤ２２ａを所定時間点灯させることで、夕方時の各意匠１５ａ〜１５ｄの発光輝度を所定に確保すると共に、周囲が暗くなった夜間においては、ＬＥＤ２２ａと太陽光で蓄光されたリン光により十分な発光輝度を確保することができる。
【００３７】
これにより、一日２４時間において第１〜第３の三つの表示状態が得られて、特に昼間から夜間への移行時の各意匠１５ａ〜１５ｄの視認度合いの著しい低下が抑制できることになる。なお、この実施例においては、ＬＥＤ２２ａとしてＡＣ仕様の物を使用し、ＡＣ１００Ｖ電源を直接供給したが、例えばＬＥＤ２２ａとしてＤＣ仕様の物を使用した場合は、表示盤２の筐体５内の底面上等に、ＡＣ／ＤＣコンバータを配設して、このコンバータで変換した所定のＤＣ電源をＬＥＤ２２ａに供給するようにすれば良い。
【００３８】
このように、前記蓄光表示装置１によれば、筐体５の正面に蓄光板６を配設し、筐体５の背面に紫外線を蓄光材１７に直接照射可能なＬＥＤ２２ａを配設して、タイマー８で設定した時間内で光センサー９が作動した場合にＬＥＤ２２ａを発光させるため、蓄光材１７とＬＥＤ２２ａを筐体５内の前後で対向配置するという簡易な構成により、太陽光の照射が十分に得られない場合でもＬＥＤ２２ａの紫外線を蓄光板６の蓄光材１７に直接照射して、日没時に蓄光材１７に照射される紫外線の減少を補うことができ、夕方や夜間における蓄光板６の蓄光効果を十分に高めることができる。
【００３９】
特に、蓄光材１７に紫外線を照射可能なＬＥＤ２２ａを筐体５内に配設すると共に、このＬＥＤ２２ａの点灯を制御ボックス３のタイマー８と光センサー９等で制御するため、蓄光表示装置１に昼間時の第１の視認状態と、昼間から夜間への移行時の第２の表示状態、及び夜間時の第３の表示状態を得ることができ、一日の全時間において、例えば蓄光板６の面積が大きい表示盤２であっても、各意匠１５ａ〜１５ｄを良好に視認させることができる等、いつ発生するか解らない津波等の誘導表示板として好適に使用することができる。
【００４０】
また、蓄光材１７が基材６ａの意匠１５ａ〜１５ｄに対応して基材６ａの裏面に断面山形形状に形成された凹部１６内に充填固化されているため、蓄光材１７を意匠部分に対応した凹部１６内のみに充填すれば良く、その使用量を大幅に低減させることができると共に、凹部１６の形状により凹部１６内の蓄光材１７に紫外線を効率的に蓄光することができる。また、意匠１５ａ〜１５ｄに対応した凹部１６内の蓄光材１７のリン光で意匠部分を表面側から良好に視認でき、かつ蓄光材１７から放射されるリン光を、隣接する凹部１６の山形部分等で乱反射させつつ基材６ａの表面側に放射でき、これらのことから、蓄光材１７の使用量を削減しつつ、蓄光効果を一層高めた安価な蓄光表示装置１を提供することが可能になる。
【００４１】
さらに、３個のＬＥＤ２２ａを有する２組のＬＥＤモジュール２２を、基材６ａの各意匠１５ａ〜１５ｂに対応して高さ方向の中央で左右方向に所定距離でＬＥＤ取付板７の内面に配設しているため、ＬＥＤモジュール２２の個数を効果的に低減させて、蓄光表示装置１の一層の簡略化等を図りつつ、各意匠１５ａ〜１５ｄの蓄光効果をより一層高めることができる。さらに、商用ＡＣ１００Ｖ電源を使用してＬＥＤ２２ａを発光させるため、各ＬＥＤ２２ａを安定かつ確実に点灯させることができると共に、ＬＥＤ２２ａの発光時間が夕方の数時間に設定されるため、省電力化に優れた蓄光表示装置１を得ることができる。
【００４２】
また、タイマー８と光センサー９が制御ボックス３に配設されて、表示盤２とケーブル２１を介して接続されているため、別体の表示盤２と制御ボックス３を屋外等の所定位置に取り付けできて、設置の汎用性を高めることができると共に、蓄光表示装置１の保守点検等を簡単に行うことができる。また、表示盤２の筐体５の各枠５ａ〜５ｃが分解可能で溝１１ａ、１１ｂに蓄光板６やＬＥＤ取付板７を抜き差しできる構成であるため、蓄光表示装置１の設置や保守作業等を一層容易に行うことができると共に、排水孔１２により筐体５内部への雨水の滞留を防止でき、屋外に安定して設置できる等、信頼性に優れた蓄光表示装置１を得ることができる。
【００４３】
図１０は、本発明に係わる蓄光表示装置の他の実施形態の構成図である。前記実施形態と同一部位には同一符号を付して説明する。この実施形態の蓄光表示装置１の特徴は、前記商用ＡＣ電源に代えてソーラーパネル２７の電力を使用してＤＣ仕様のＬＥＤ２２ａを発光させて蓄光材１７を蓄光するようにしたものである。前記ソーラーパネル２７は、表示盤２や制御ボックス３の上面、もしくはこれらとは別の位置に水平状態もしくは傾斜状態で配設されて、制御ボックス３にケーブル３０で接続されている。制御ボックス３内には、図示しない内部タイマーを有し光センサーが接続されたコントローラ２８と、ソーラーパネル２７の電力を蓄電する蓄電器２９を配設し、蓄電器２９を表示盤２内のＬＥＤモジュール２２にケーブル２１で直接接続する。
【００４４】
そして、前記コントローラ２８が、ソーラーパネル２７から得られるＤＣ電力を蓄電器２９に蓄電し、内部タイマーで設定された夕方のオン時間にＬＥＤ２２ａを点灯させて、蓄光板６の蓄光材１７を蓄光する。この実施形態の蓄光表示装置１においても、夕方時にＬＥＤ２２ａの点灯で蓄光材１７を発光させる等、前述した第１〜第３の表示状態が得られて、前記実施形態と同様の作用効果を得ることができる。また、商用ＡＣ電源が不要となるため、設置場所を選ぶ必要が無い等、蓄光表示装置１の設置を簡単に行うことができる。この実施形態の蓄光表示装置１の場合、例えば店舗の看板等でその筐体５が大きい場合には、コントローラ２８と蓄電器２９を筐体５内に配設することも可能であり、この場合、光センサー９は筐体５の側面等に配設すれば良い。
【００４５】
なお、前記各実施形態においては、ＬＥＤ２２ａの電源としてＡＣ商用電源かもしくはソーラーパネル２７の電源を使用したが、ＡＣ商用電源とソーラーパネル２７を共に設ける構成とし、コントローラ２８でこれらを適宜に切り替えるようにして良い。また、前記各実施形態においては、ＬＥＤ発光体として一般的な紫外線ＬＥＤ２２ａを３個モジュール化した例について説明したが、本発明はこれに限定されず、例えば指向角が１００度程度の広角紫外線ＬＥＤを各意匠１５ａ〜１５ｄに対応して所定個数配置する構成であっても良く、この場合、意匠１５が複雑な場合には、ＬＥＤ取付板７として回路パターンを有するプリント基板を使用し、その回路パターンに各ＬＥＤ２２ａを半田付けすれば良い。
【００４６】
さらに、前記実施形態においては、タイマー８による設定時間と光センサー９の検出結果の両方に基づいて、ＬＥＤ２２ａを発光するようにしたが、本発明は、少なくともＬＥＤ２２ａが夕方の所定時間発光すれば良く、例えばタイマー８のみや光センサー９のみでＬＥＤ２２ａの発光を制御することも勿論可能である。また、前記実施形態における、表示盤２の形態、蓄光板６や筐体５の構成、制御ボックス３の構成等は一例であって、例えば蓄光板６の凹部１６を多数の正方形凹部１６の連設に限らず、例えば各意匠形状に対応した一つもしくは複数の凹部１６としたり、あるいは光センサー９を表示盤２に配設する等、本発明に係わる各発明の要旨を逸脱しない範囲において、適宜の構成を採用することができる。
【産業上の利用可能性】
【００４７】
本発明は、災害発生時等の避難誘導用の蓄光表示装置に限らず、各種建築物内の非常口用等の誘導表示板、商店や会社の看板等、表面側に所定の意匠を有して屋内外に設置される全ての蓄光表示装置に利用可能である。
【符号の説明】
【００４８】
１・・・・・・・・・蓄光表示装置
２・・・・・・・・・表示盤
２ａ・・・・・・・・基材
３・・・・・・・・・制御ボックス
５・・・・・・・・・筐体
６・・・・・・・・・蓄光板
７・・・・・・・・・ＬＥＤ取付板
８・・・・・・・・・タイマー
９・・・・・・・・・光センサー
１１ａ、１１ｂ・・・溝
１５・・・・・・・・意匠フィルム
１６・・・・・・・・凹部
１６ａ・・・・・・・斜面
１７・・・・・・・・蓄光材
１８・・・・・・・・フィルム（被覆材）
２０・・・・・・・・カバーフィルム
２２・・・・・・・・ＬＥＤモジュール
２２ａ・・・・・・・ＬＥＤ
２７・・・・・・・・ソーラーパネル
２８・・・・・・・・コントローラ
２９・・・・・・・・蓄電器
【図１】
2017187529.tif 000003
【図２】
2017187529.tif 000004
【図３】
2017187529.tif 000005
【図４】
2017187529.tif 000006
【図５】
2017187529.tif 000007
【図６】
2017187529.tif 000008
【図７】
2017187529.tif 000009
【図８】
2017187529.tif 000010
【図９】
2017187529.tif 000011
【図１０】
2017187529.tif 000012
【手続補正書】
【提出日】平成29年5月23日(2017.5.23)
【手続補正１】
【補正対象書類名】明細書
【補正対象項目名】０００８
【補正方法】変更
【補正の内容】
【０００８】
また、請求項２に記載の発明は、前記制御手段が、タイマーの設定時間内で光センサーが周囲の明るさを検出して所定の暗さで作動した場合に前記ＬＥＤ発光体を発光させると共に、前記タイマーの設定時間が経過した場合に前記ＬＥＤ発光体を消灯させることを特徴とする。また、請求項３に記載の発明は、前記蓄光材が、前記基材表面の意匠に対応して該基材の裏面に所定深さで断面山形形状に形成された凹部内に充填固化されていることを特徴とする。さらに、請求項４に記載の発明は、前記ＬＥＤ発光体が、紫外線を照射可能な複数のＬＥＤを有する複数のＬＥＤモジュールで形成されるか、もしくは紫外線を広角に照射可能な複数の広角ＬＥＤで形成され、これらが前記筐体の背面板を兼ねるＬＥＤ取付板に前記意匠に対応して配設されていることを特徴とする。
【手続補正２】
【補正対象書類名】明細書
【補正対象項目名】０００９
【補正方法】変更
【補正の内容】
【０００９】
また、請求項５に記載の発明は、前記制御手段が、商用交流電源の電力を使用して前記ＬＥＤ発光体を発光させるか、もしくはソーラーパネルの電力を使用して前記ＬＥＤ発光体を発光させることを特徴とする。また、請求項６に記載の発明は、前記タイマーと光センサーが制御ボックス内に配設されて、前記蓄光板及びＬＥＤ発光体が配設された前記筐体を有する表示盤とケーブルを介して接続されていることを特徴とする。
【手続補正３】
【補正対象書類名】明細書
【補正対象項目名】００１１
【補正方法】変更
【補正の内容】
【００１１】
また、請求項２に記載の発明によれば、請求項１に記載の発明の効果に加え、制御手段が、タイマーの設定時間内で光センサーが周囲の明るさを検出して所定の暗さで作動した場合にＬＥＤ発光体を発光させると共に、タイマーの設定時間が経過した場合にＬＥＤ発光体を消灯させるため、夕方に例えば２〜３時間ＬＥＤ発光体を点灯でき、昼間から夜間移行時の蓄光板の視認効果の低下を抑制できて、より安定した蓄光効果が得られると共に、装置の省電力化を図ることができる。
【手続補正４】
【補正対象書類名】明細書
【補正対象項目名】００１５
【補正方法】変更
【補正の内容】
【００１５】
また、請求項６に記載の発明によれば、請求項２ないし５に記載の発明の効果に加え、タイマーと光センサーが制御ボックス内に配設されて、蓄光板及びＬＥＤ発光体が配設された筐体を有する表示盤とケーブルを介して接続されているため、別体の表示盤と制御ボックスを屋外等の所定位置に取り付けできて、設置の汎用性を向上させることができると共に、装置の保守点検等を簡単に行うことができる。
【手続補正５】
【補正対象書類名】特許請求の範囲
【補正対象項目名】全文
【補正方法】変更
【補正の内容】
【特許請求の範囲】
【請求項１】
表面側に所定の意匠が配設された板状の基材、該基材の裏面側に前記意匠の形状に対応して配設された蓄光材、及び前記蓄光材を覆うように前記基材の裏面側に配設された被覆材を有して、筐体の正面に配設された蓄光板と、前記筐体の背面に配設されて紫外線を前記蓄光材に直接照射可能なＬＥＤ発光体と、該ＬＥＤ発光体を昼間から夜間移行時に予め設定した所定時間点灯可能な制御手段と、を備えることを特徴とする蓄光表示装置。
【請求項２】
前記制御手段は、タイマーの設定時間内で光センサーが周囲の明るさを検出して所定の暗さで作動した場合に前記ＬＥＤ発光体を発光させると共に、前記タイマーの設定時間が経過した場合に前記ＬＥＤ発光体を消灯させることを特徴とする請求項１に記載の蓄光表示装置。
【請求項３】
前記蓄光材は、前記基材表面の意匠に対応して該基材の裏面に所定深さで断面山形形状に形成された凹部内に充填固化されていることを特徴とする請求項１または２に記載の蓄光表示装置。
【請求項４】
前記ＬＥＤ発光体は、紫外線を照射可能な複数のＬＥＤを有する複数のＬＥＤモジュールで形成されるか、もしくは紫外線を広角に照射可能な複数の広角ＬＥＤで形成され、これらが前記筐体の背面板を兼ねるＬＥＤ取付板内面に前記意匠に対応して配設されていることを特徴とする請求項１ないし３のいずれかに記載の蓄光表示装置。
【請求項５】
前記制御手段は、商用交流電源の電力を使用して前記ＬＥＤ発光体を発光させるか、もしくはソーラーパネルの電力を使用して前記ＬＥＤ発光体を発光させることを特徴とする請求項１ないし４のいずれかに記載の蓄光表示装置。
【請求項６】
前記タイマーと光センサーが制御ボックス内に配設されて、前記蓄光板及びＬＥＤ発光体が配設された前記筐体を有する表示盤とケーブルを介して接続されていることを特徴とする請求項２ないし５のいずれかに記載の蓄光表示装置。